(57)【特許請求の範囲】
【請求項１】
側板（３，４，７）、天板（２）および底板（５）を有して形成され、空気調和機の本体ユニット（２５）から送られる空気を取入れるための取入口（２１）と、取入れた空気を送り出すための吹出し口（２２）とを有する吹出しチャンバであって、
前記側板（３，４）は、第１側板（３）および第２側板（４）を含み、
前記天板（２）と前記第１側板（３）との接合部分、前記底板（５）と前記第１側板（３）との接合部分、前記天板（２）と前記第２側板（４）との接合部分および前記底板（５）と前記第２側板（４）との接合部分のそれぞれでは、一方に、それぞれ所定の間隔を隔てて複数の爪（８）が設けられ、他方に、複数の前記爪（８）のそれぞれに対応するように、前記所定の間隔を隔てて開口状の複数の係止部（９）が設けられ、
前記天板（２）および前記底板（５）のそれぞれと前記第１側板（３）とは、前記一方に対して前記他方を所定の方向にスライドさせて、複数の前記爪（８）のそれぞれを対応する複数の前記係止部（９）のそれぞれに係止させることによって固定され、
前記天板（２）および前記底板（５）のそれぞれと前記第２側板（４）とは、前記一方に対して前記他方を前記所定の方向とは異なる方向にスライドさせて、複数の前記爪（８）のそれぞれを対応する複数の前記係止部（９）のそれぞれに係止させることによって固定された、吹出しチャンバ。
【請求項２】
複数の前記係止部（９）が設けられる一方には縁に沿って前記他方と接する折返し（３ａ、３ｃ、４ａ、４ｃ）が設けられ、
複数の前記係止部（９）は前記折返し（３ａ、３ｃ、４ａ、４ｃ）に設けられている、請求項１記載の吹出しチャンバ。
【請求項３】
複数の前記爪（８）は前記天板（２）および前記底板（５）のそれぞれに設けられ、複数の前記係止部（９）は前記第１側板（３）および前記第２側板（４）のそれぞれに設けられている、請求項１または２に記載の吹出しチャンバ。
【請求項４】
前記側板（３，４，７）は複数の板（３、４、７）からなり、各板（３、４、７）同士はねじ止めされている、請求項１〜３のいずれかに記載の吹出しチャンバ。
【請求項５】
本体ユニット（２５）の吹出し口に吹出しチャンバ（１）を備えた空気調和機であって、
前記吹出しチャンバ（１）は、側板（３，４）、天板（２）および底板（５）を有して形成され、
前記側板（３，４）は、第１側板（３）および第２側板（４）を含み、
前記天板（２）と前記第１側板（３）との接合部分、前記底板（５）と前記第１側板（３）との接合部分、前記天板（２）と前記第２側板（４）との接合部分および前記底板（５）と前記第２側板（４）との接合部分のそれぞれでは、一方に、それぞれ所定の間隔を隔てて複数の爪（８）が設けられ、他方に、複数の前記爪（８）のそれぞれに対応するように、前記所定の間隔を隔てて開口状の複数の係止部（９）が設けられ、
前記天板（２）および前記底板（５）のそれぞれと前記第１側板（３）とは、前記一方に対して前記他方を所定の方向にスライドさせて、複数の前記爪（８）のそれぞれを対応する複数の前記係止部（９）のそれぞれに係止させることによって固定され、
前記天板（２）および前記底板（５）のそれぞれと前記第２側板（４）とは、前記一方に対して前記他方を前記所定の方向とは異なる方向にスライドさせて、複数の前記爪（８）のそれぞれを対応する複数の前記係止部（９）のそれぞれに係止させることによって固定された、空気調和機。
【発明の詳細な説明】
【０００１】
【発明の属する技術分野】
本発明は吹出しチャンバおよび吹出しチャンバを備えた空気調和機に関し、特に、組立を容易に行なうことのできる吹出しチャンバと吹出しチャンバを備えた空気調和に関するものである。
【０００２】
【従来の技術】
近年、空気調和した空気を吹出しチャンバで分配し、ダクトを介して室内に供給する空気調和機がある。
【０００３】
図９〜図１１は、ビルの天井に取付けられた空気調和機の本体ユニット２５と吹出しチャンバ１０１を示している。
【０００４】
本体ユニット２５では空調室内から取入れられた空気を熱交換器で熱交換して加熱または冷却された空気が室内に送り込まれる。このとき、熱交換された空気は吹出しチャンバ１０１へ送られ、その吹出しチャンバ１０１から各ダクト２６を経てそれぞれの部屋へ送られる。
【０００５】
図１２に示すように、その吹出しチャンバ１０１は、天板１０２、底板１０５、側板１０３、１０４および前板１０７により形成されている。側板１０３、１０４および前板１０７には、ダクトを接続するためのダクトフランジ１１０が設けられている。
【０００６】
吹出しチャンバ１０１は工場内または現地で組立てられ、たとえば天板１０２と側板１０３とは、天板１０２に設けられた穴１０９と側板１０３に設けられた穴１１２を貫通するねじにより結合固定される。天板１０２と前板１０７、天板１０２と側板１０４、底板１０５と側板１０３、１０４および底板１０５と前板１０７のそれぞれについても同様にねじにより固定される。
【０００７】
そして、本体ユニット２５から送られてくる空気を取り入れるための取入口１１１の部分では、吹出し合フランジ１０６が天板１０１等にねじ止めされる。さらに、このようにして組立てられた吹出しチャンバ１０２は、図１１に示すように、吹出し合フランジ１０６を貫通するねじにより本体ユニット２５に固定される。
【０００８】
【発明が解決しようとする課題】
上述したように、従来の吹出しチャンバ１０１では、天板１０２（底板１０５）と各側板１０３、１０４および天板１０２（底板１０５）と前板１０７とは複数のねじにより固定される。このため、工場内または現地での吹出しチャンバの組立作業に時間を要した。また、多くのねじを必要とするためコストの削減を図ることが困難であった。
【０００９】
本発明は、このような問題点を解決するためになされたものであり、容易に組立を行なうことができ、コストの削減を図ることができる吹出しチャンバと吹出しチャンバを備えた空気調和機を提供することを目的とする。
【００１０】
【課題を解決するための手段】
請求項１に記載された吹出しチャンバは、側板、天板および底板を有して形成され、空調用給排気システムの本体ユニットから送られる空気を取入れるための取入口と、取入れた空気を送り出すための吹出し口とを有する吹出しチャンバであって、側板は第１側板および第２側板を含んでいる。天板と第１側板との接合部分、底板と第１側板との接合部分、天板と第２側板との接合部分および底板と第２側板との接合部分のそれぞれでは、一方に、それぞれ所定の間隔を隔てて複数の爪が設けられ、他方に、複数の爪のそれぞれに対応するように、所定の間隔を隔てて開口状の複数の係止部が設けられている。天板および底板のそれぞれと第１側板とは、一方に対して他方を所定の方向にスライドさせて、複数の爪のそれぞれを対応する複数の係止部のそれぞれに係止させることによって固定されている。天板および底板のそれぞれと第２側板とは、一方に対して他方を所定の方向とは異なる方向にスライドさせて、複数の爪のそれぞれを対応する複数の係止部のそれぞれに係止させることによって固定されている。
【００１１】
請求項１に記載された吹出しチャンバによれば、天板および底板のそれぞれと第１側板とは、一方に対して他方を所定の方向にスライドさせて、複数の爪のそれぞれを対応する複数の係止部のそれぞれに係止させることによって固定され、また、天板および底板のそれぞれと第２側板とは、一方に対して他方を所定の方向とは異なる方向にスライドさせて、複数の爪のそれぞれを対応する複数の係止部のそれぞれに係止させることによって固定されている。これにより、ねじ止によって結合させていた従来の吹出しチャンバと比較すると、吹出しチャンバの組立を短時間で容易に行なうことができるとともに、ねじを大幅に削減することができ、コストの削減を図ることができる。
【００１２】
請求項２に記載された吹出しチャンバでは、複数の係止部が設けられる一方には縁に沿って他方と接する折返しが設けられ、複数の係止部はその折返しに設けられている。
【００１３】
請求項２に記載された吹出しチャンバによれば、比較的簡単な機械加工により比較的容易に複数の爪と複数の係止部を設けることができる。
【００１４】
請求項３に記載された吹出しチャンバでは、複数の爪は天板および底板のそれぞれに設けられ、複数の係止部は第１側板および第２側板のそれぞれに設けられている。
【００１５】
請求項３に記載された吹出しチャンバによれば、比較的容易に複数の爪のそれぞれを対応する複数の係止部のそれぞれに係止することができる。
【００１６】
請求項４に記載された吹出しチャンバでは、側板は複数の板からなり、各板同士はねじ止めされている。
【００１７】
請求項４に記載された吹出しチャンバによれば、側板が複数の板からなることで、一体ものの側板と比較すると、天板および底板のそれぞれと側板との固定を容易に行うことができるとともに、それぞれ天板と底板に固定された板同士を容易に結合することができる。
【００１８】
請求項５に記載された空気調和機は、本体ユニットの吹出し口に吹出しチャンバを備えた空気調和機である。その吹出しチャンバは、側板、天板および底板を有して形成されている。側板は、第１側板および第２側板を含んでいる。天板と第１側板との接合部分、底板と第１側板との接合部分、天板と第２側板との接合部分および底板と第２側板との接合部分のそれぞれでは、一方に、それぞれ所定の間隔を隔てて複数の爪が設けられ、他方に、複数の爪のそれぞれに対応するように、所定の間隔を隔てて開口状の複数の係止部が設けられている。天板および底板のそれぞれと第１側板とは、一方に対して他方を所定の方向にスライドさせて、複数の爪のそれぞれを対応する複数の係止部のそれぞれに係止させることによって固定されている。天板および底板のそれぞれと第２側板とは、一方に対して他方を所定の方向とは異なる方向にスライドさせて、複数の爪のそれぞれを対応する複数の係止部のそれぞれに係止させることによって固定されている。
【００１９】
請求項５に記載された空気調和機によれば、天板および底板のそれぞれと第１側板とは、一方に対して他方を所定の方向にスライドさせて、複数の爪のそれぞれを対応する複数の係止部のそれぞれに係止させることによって固定され、また、天板および底板のそれぞれと第２側板とは、一方に対して他方を所定の方向とは異なる方向にスライドさせて、複数の爪のそれぞれを対応する複数の係止部のそれぞれに係止させることによって固定されている。これにより、ねじ止によって結合させていた従来の吹出しチャンバと比較すると、吹出しチャンバの組立を短時間で容易に行なうことができるとともに、ねじを大幅に削減することができ、コストの削減を図ることができる。
【００２０】
【発明の実施の形態】
実施の形態１
本発明の実施の形態１に係る吹出しチャンバおよび吹出しチャンバを備えた空気調和機についてについて説明する。図１に示すように、吹出しチャンバ１は、天板２、底板５、側板３、４および吹出し合フランジ６を有して構成される。側板３、４にはそれぞれダクト（図示せず）を接続するためのダクトフランジ１０が設けられている。
【００２１】
側板３には縁に沿って吹出しチャンバ１の内側に向かって折返された折返し３ａ、３ｂ、３ｃと、外側に向かって折返された折返し３ｄとが設けられている。側板４にも縁に沿って内側に向かって折返された折返し４ａ、４ｂ、４ｃと、外側に向かって折返された折返し（図示せず）とが設けられている。
【００２２】
天板２には、外側に向かって折返された折返し２ａが設けられている。底板５にも外側に向かって折返された折返し５ａが設けられている。天板２および底板５の外周部分には、それぞれ複数の爪８が設けられている。
【００２３】
側板３の折返し３ａには、爪８と対応する位置に係止部９が設けられている。側板３の折返し３ｃ、側板４の折返し４ａ、４ｃにも同様に、爪８と対応する位置に係止部９が設けられている。各爪８が対応する係止部９に係止されることで、天板２（底板５）と各側板３、４とが固定される。
【００２４】
たとえば、天板２に設けられた爪８と側板３の折返し３ａに設けられた係止部９では、組立の際に、図２に示すように、爪８を係止部９に位置に合わせ、次に、図３に示すように、爪８を係止部９に挿入して爪８が延びる方向に天板２をスライドさせることで爪８が係止部９に係止されて、天板２と側板３とが固定される。
【００２５】
次に、吹出しチャンバ１の組立および取付け工事の手順について説明する。まず、図４に示すように、側板３、４を立てた状態で、天板２の各爪８を対応する側板３の折返し３ａに設けられた係止部９と側板４の折返し４ａに設けられた係止部９に挿入する。そして、天板１を爪８が延びている方向に向かってスライドさせて爪８を係止部９に係止させることにより、天板２と側板３、４とを固定する。
【００２６】
次に、底板５を天板２と同様に側板３、４に固定する。側板３の折返し３ｂと側板４の折返し４ｃとを重ね合せてねじ止する。天板２、側板３、４および底板５が固定された段階で、吹出し合フランジ６を矢印３０に示すように、吹出し口２２の側から取入口２１の側に向かって装着する。
【００２７】
このようにして、図５に示すように、吹出しチャンバ１の組立てが完了する。このとき、図６に示すように、吹出し合フランジ６のフレーム６ａは、折返し２ａ、３ｄ、５ａと面接触している。
【００２８】
組立が完了した吹出しチャンバ１は、吹出し合フランジ６および折返し２ａ、３ｄ、５ａ、４ｄを貫通するネジにより空気調和機の本体ユニット２５（図１１を参照）に固定される。これにより、吹出しチャンバ１の取付け工事が完了する。なお、吹出しチャンバ１と本体ユニット２５との間にはシール部材が貼付され、また、吹出しチャンバ１の内側には断熱材が貼付されている。
【００２９】
上述したように、この吹出しチャンバ１では、天板２と側板３、４および底板５と側板３、４は、各爪８が対応する係止部９に係止されることでそれぞれ容易に固定される。
【００３０】
これにより、従来の吹出しチャンバと比較すると組立てに要する時間を短縮することができるとともに、ねじの数を大幅に減らすことができて、コストの削減を図ることができる。
【００３１】
また、このような爪および係止部を比較的簡単な機械加工により容易に形成することができる。
【００３２】
また、この吹出しチャンバ１では、側板が側板３と側板４とに分割されていることで次のような効果が得られる。図４に示すように、係止部９は、折返し３ａ、３ｃ、４ａ、４ｃの長手方向に沿って設けられているため、爪８を側板３に設けられた係止部９に係止する方向と、側板４に設けられた係止部９に係止する方向とは一致していない。
【００３３】
このとき、側板として２つの側板３、４に分かれていることで、組立の際にたとえば先に天板２と側板３とを固定し、その後に天板２と側板４とを固定することで、係止する方向が側板３、４によって異なっていても容易に天板２と側板３、４とを固定することができる。
【００３４】
さらに、吹出しチャンバ１の組立が完了した後では、上記のように係止する方向が一致していないので、天板２の爪８が側板３、４の係止部９から容易に抜けることがなくなる。
【００３５】
また、爪８をスライドさせる方向と折返し３ａ、３ｃ、４ａ、４ｃの長手方向とが一致しているので、折返し３ａ、３ｃ、４ａ、４ｃとして、係止部９を設けることのできる必要最小限の幅を設定することができる。
【００３６】
一方、側板として、一体化された側板を用いる場合には、天板および底板に設けられるすべての爪をスライドさせる方向に向け、その各爪のスライド方向に対応するように係止部を側板の折返しに設ける必要がある。
【００３７】
この場合には、爪のスライド方向を側板の折返しの長手方向に一致させることができなくなり、側板の折返しとして、より広い幅を有するものが必要とされる。そして、爪のスライド方向がすべて同じであるため、吹出しチャンバの組立が完了した後では、天板の爪が側板の係止部から容易に抜け易くなるといった欠点がある。
【００３８】
また、この吹出しチャンバ１では取入口２１に吹出し合フランジ６が装着される。吹出し合フランジ６は、本体ユニット２５とは反対の側から折返し２ａ、３ｄ、４ｄ、５ａに重なるフレーム６ａを有している。吹出しチャンバ１が本体ユニット２５に取付けられた段階で、図６に示すように、天板２の折返し２ａは吹出し合フランジ６のフレーム６ａと本体ユニット（図示せず）との間に挟み込まれることになる。
【００３９】
同様に、側板３の折返し３ｄ、側板４の折返し４ｄおよび底板５の折返し５ａも、フレーム６ａと本体ユニットとの間に挟み込まれることになる。このように、吹出し合フランジ６がフレーム６ａを有していることで、吹出し合フランジ６と天板２、側板３、４、底板５との間から空気が漏れ出るのを効果的に防止することができる。
【００４０】
また、吹出し合フランジ６のフレーム６ａの厚さとして、折返しの厚さよりも厚くすることで、吹出しチャンバ１の本体ユニット２５への取付け部分の強度を、天板２等を厚くすることなく容易に確保することができる。
【００４１】
実施の形態２
実施の形態１では、吹出し口が２ヶ所設けられた吹出しチャンバについて説明した。実施の形態２では、吹出し口が４ヶ所設けられた吹出しチャンバと吹出しチャンバを備えた空気調和機について説明する。
【００４２】
図７に示すように、吹出しチャンバ１は、天板２、底板５、側板３、４および吹出し合フランジ６に、前板７を加えて構成される。前板７にはダクト（図示せず）を接続するための２つのダクトフランジ１０が設けられている。これ以外の構成については実施の形態１において説明した吹出しチャンバと同様なので、同一部材には同一符号を付しその説明を省略する。
【００４３】
天板２には、外側に向かって折返された折返し２ａに加えて、内側に向かって折返された折返し２ｂが設けられている。底板５にも外側に向かって折返された折返し５ａに加えて、内側に向かって折返された折返し５ｂが設けられている。
【００４４】
天板２の折返し２ｂには、前板７の爪８が係止される係止部９が設けられている。底板５の折返し５ｂにも、爪８が係止される係止部９が設けられている。前板７に設けられた各爪８が対応する係止部９に係止されることで、前板７が天板２および底板５に固定される。さらに、前板７は側板３の折返し３ｂと側板４の折返し４ｂとにそれぞれねじ止される。
【００４５】
次に、吹出しチャンバ１の組立および取付け工事の手順について説明する。まず、図７に示すように、天板２の各爪８を対応する側板３の折返し３ａに設けられた係止部９に係止する。同様に、天板２の各爪を対応する側板４の折返し４ａに設けられた係止部に係止する。次に、天板２と同様に、底板５の各爪を側板３、４の係止部に係止する。
【００４６】
次に、前板７に設けられている爪８を天板２の折返し２ｂと底板５の折返し５ｂとにそれぞれ設けられている係止部９に係止する。
【００４７】
次に、前板７を側板３の折返し３ｃと側板４の折返し４ｃとにねじ止する。天板２、側板３、４、底板５および前板７が固定された段階で、吹出し合フランジ６を吹出し口２２の側から取入口２１の側に向かって装着する。吹出し合フランジ６は本体ユニット２５とは反対の側から折返し２ａ、３ｄ、５ａに重なるフレームを有している。
【００４８】
このようにして、図８に示すように、吹出しチャンバ１の組立てが完了する。組立が完了した吹出しチャンバ１は、吹出し合フランジ６および折返し２ａ、３ｄ、５ａ、４ｄを貫通するネジにより空気調和機の本体ユニット２５（図１１を参照）に固定される。これにより、吹出しチャンバ１の取付け工事が完了する。なお、吹出しチャンバ１と本体ユニット２５との間にはシール部材が貼付され、また、吹出しチャンバ１の内側には断熱材が貼付されている。
【００４９】
上述したように、この吹出しチャンバ１では、天板２と側板３、４、天板２と前板７、底板５と側板３、４および底板５と前板７は、各爪８が対応する係止部９に係止されることでそれぞれ容易に固定される。
【００５０】
これにより、組立てに要する時間を短縮することができるとともに、ねじの数を大幅に減らすことができて、コストの削減を図ることができる。
【００５１】
また、実施の形態１において説明したように、この吹出しチャンバ１でも、側板として、側板３、４および前板７に分割されていることで、爪８を係止部９に係止する方向がすべて一致していなくても、容易に爪を係止部に係止することができる。そして、吹出しチャンバ１の組立が完了した後では、天板２（底板５）の爪８が側板３、４の係止部９から容易に抜けることがなくなる。
【００５２】
また、折返し３ａ、３ｃ、４ａ、４ｃとして、折返し３ａ、３ｃ、４ａ、４ｃの長手方向に沿って係止部９を設けることのできる必要最小限の幅を設定することができる。
【００５３】
さらに、取入口２１に吹出し合フランジ６が装着され、その吹出し合フランジ６が本体ユニット２５とは反対の側から折返し２ａ、３ｄ、４ｄ、５ａに重なるフレームを有することで、吹出し合フランジ６と天板２、側板３、４、底板５との間から空気が漏れ出るのを効果的に防止することができる。
【００５４】
また、吹出し合フランジ６のフレームの厚さとして、折返しの厚さよりも厚くすることで、吹出しチャンバ１の本体ユニットへの取付け部分の強度を容易に確保することができる。
【００５５】
なお、上記各実施の形態では、爪を天板と底板に設け、係止部を側板等に設けることで爪を係止部により容易に係止することができるが、逆に、係止部を天板と底板に設け、爪を側板等に設けてもよい。
【００５６】
今回開示された実施の形態はすべての点で例示であって、制限的なものではないと考えられるべきであり、本発明の範囲は上記した説明ではなくて特許請求の範囲によって示され、特許請求の範囲と均等の意味および範囲内でのすべての変更が含まれることが意図される。
【００５７】
【発明の効果】
請求項１に記載された吹出しチャンバによれば、天板および底板のそれぞれと第１側板とは、一方に対して他方を所定の方向にスライドさせて、複数の爪のそれぞれを対応する複数の係止部のそれぞれに係止させることによって固定され、また、天板および底板のそれぞれと第２側板とは、一方に対して他方を所定の方向とは異なる方向にスライドさせて、複数の爪のそれぞれを対応する複数の係止部のそれぞれに係止させることによって固定されている。これにより、ねじ止によって結合させていた従来の吹出しチャンバと比較すると、吹出しチャンバの組立を短時間で容易に行なうことができるとともに、ねじを大幅に削減することができ、コストの削減を図ることができる。
【００５８】
請求項２に記載された吹出しチャンバによれば、比較的簡単な機械加工により比較的容易に複数の爪と複数の係止部を設けることができる。
【００５９】
請求項３に記載された吹出しチャンバによれば、比較的容易に複数の爪のそれぞれを対応する複数の係止部のそれぞれに係止することができる。
【００６０】
請求項４に記載された吹出しチャンバによれば、側板が複数の板からなることで、一体ものの側板と比較すると、天板および底板のそれぞれと側板との固定を容易に行うことができるとともに、それぞれ天板と底板に固定された板同士を容易に結合することができる。
【００６１】
請求項５に記載された空気調和機によれば、天板および底板のそれぞれと第１側板とは、一方に対して他方を所定の方向にスライドさせて、複数の爪のそれぞれを対応する複数の係止部のそれぞれに係止させることによって固定され、また、天板および底板のそれぞれと第２側板とは、一方に対して他方を所定の方向とは異なる方向にスライドさせて、複数の爪のそれぞれを対応する複数の係止部のそれぞれに係止させることによって固定されている。これにより、ねじ止によって結合させていた従来の吹出しチャンバと比較すると、吹出しチャンバの組立を短時間で容易に行なうことができるとともに、ねじを大幅に削減することができ、コストの削減を図ることができる。
【図面の簡単な説明】
【図１】  本発明の実施の形態１に係る吹出しチャンバの分解斜視図である。
【図２】  同実施の形態において、天板と側板との組立手順の一工程を示す断面図である。
【図３】  同実施の形態において、天板と側板とが固定された状態を示す断面図である。
【図４】  同実施の形態において、吹出しチャンバの組立を説明するための斜視図である。
【図５】  同実施の形態において、組立が完了した吹出しチャンバの斜視図である。
【図６】  同実施の形態において、図５に示す断面線ＶＩ−ＶＩにおける部分断面図である。
【図７】  本発明の実施の形態２に係る吹出しチャンバの分解斜視図である。
【図８】  同実施の形態において、組立が完了した吹出しチャンバの斜視図である。
【図９】  空気調和機の本体ユニットに取付けられた従来の吹出しチャンバの平面図である。
【図１０】  従来の吹出しチャンバの側面図である。
【図１１】  従来の吹出しチャンバの斜視図である。
【図１２】  従来の吹出しチャンバの分解斜視図である。
【符号の説明】
１  吹出しチャンバ、２  天板、３、４  側板、５  底板、２ａ、２ｂ、３ａ、３ｂ、３ｃ、３ｄ、４ａ、４ｂ、４ｃ、４ｄ  折返し、６  吹出し合フランジ、６ａ  フレーム、７  前板、８  爪、９  係止部、１０  ダクトフランジ、２１  取入口、２２  吹出し口、２５  本体ユニット、２６  ダクト、３０  矢印。
【図１】
0004467119.tif 000002
【図２】
0004467119.tif 000003
【図３】
0004467119.tif 000004
【図４】
0004467119.tif 000005
【図５】
0004467119.tif 000006
【図６】
0004467119.tif 000007
【図７】
0004467119.tif 000008
【図８】
0004467119.tif 000009
【図９】
0004467119.tif 000010
【図１０】
0004467119.tif 000011
【図１１】
0004467119.tif 000012
【図１２】
0004467119.tif 000013